(57)【特許請求の範囲】
【請求項１】
無線通信システムにおけるパワーヘッドルーム報告方法において、
端末は、設定された送信パワーに基づいてパワーヘッドルームを決定し、
前記端末は、パワーヘッドルーム報告を基地局に送信することを含み、
前記パワーヘッドルーム報告は、前記パワーヘッドルームを指示するパワーヘッドルームレベルと、前記端末がパワー管理によるパワーバックオフを適用するかどうかを指示するバックオフ指示子と、を含むことを特徴とするパワーヘッドルーム報告方法。
【請求項２】
前記パワーヘッドルーム報告は、前記設定された送信パワーを指示する送信パワーフィールドを含むことを特徴とする請求項１に記載のパワーヘッドルーム報告方法。
【請求項３】
前記バックオフ指示子は、パワー管理によってパワーバックオフが適用されないため、前記送信パワーフィールドが異なる値を有する場合、‘１’に設定されることを特徴とする請求項２に記載のパワーヘッドルーム報告方法。
【請求項４】
前記パワーヘッドルーム報告は、前記送信パワーフィールドの存在を示す存在フィールドをさらに含むことを特徴とする請求項２に記載のパワーヘッドルーム報告方法。
【請求項５】
複数のサービングセルに対して複数のパワーヘッドルームが決定されることを特徴とする請求項１に記載のパワーヘッドルーム報告方法。
【請求項６】
前記パワーヘッドルーム報告は、複数のパワーヘッドルームレベル及び複数のバックオフ指示子を含み、各パワーヘッドルームレベルは、各サービングセルに対するパワーヘッドルームを指示することを特徴とする請求項５に記載のパワーヘッドルーム報告方法。
【請求項７】
無線通信システムにおけるパワーヘッドルームを報告する装置において、
無線信号を送信及び受信するＲＦ（ｒａｄｉｏ  ｆｒｅｑｕｅｎｃｙ）部；
前記ＲＦ部と連結されるプロセッサ；を含み、前記プロセッサは、
設定された送信パワーに基づいてパワーヘッドルームを決定し、
パワーヘッドルーム報告を基地局に送信し、
前記パワーヘッドルーム報告は、前記パワーヘッドルームを指示するパワーヘッドルームレベルと、前記装置がパワー管理によるパワーバックオフを適用するかどうかを指示するバックオフ指示子と、を含むことを特徴とするパワーヘッドルーム報告装置。
【請求項８】
前記パワーヘッドルーム報告は、前記設定された送信パワーを指示する送信パワーフィールドを含むことを特徴とする請求項７に記載のパワーヘッドルーム報告装置。
【請求項９】
前記バックオフ指示子は、パワー管理によってパワーバックオフが適用されないため、前記送信パワーフィールドが異なる値を有する場合、‘１’に設定されることを特徴とする請求項８に記載のパワーヘッドルーム報告装置。
【請求項１０】
前記パワーヘッドルーム報告は、前記送信パワーフィールドの存在を示す存在フィールドをさらに含むことを特徴とする請求項８に記載のパワーヘッドルーム報告装置。
【請求項１１】
複数のサービングセルに対して複数のパワーヘッドルームが決定されることを特徴とする請求項７に記載のパワーヘッドルーム報告装置。
【請求項１２】
前記パワーヘッドルーム報告は、複数のパワーヘッドルームレベル及び複数のバックオフ指示子を含み、各パワーヘッドルームレベルは、各サービングセルに対するパワーヘッドルームを指示することを特徴とする請求項１１に記載のパワーヘッドルーム報告装置。
【発明の詳細な説明】
【技術分野】
【０００１】
本発明は、無線通信に関し、より詳しくは、無線通信システムにおけるパワーヘッドルームを報告する方法及び装置に関する。
【背景技術】
【０００２】
ＵＭＴＳ（Ｕｎｉｖｅｒｓａｌ  Ｍｏｂｉｌｅ  Ｔｅｌｅｃｏｍｍｕｎｉｃａｔｉｏｎｓ  Ｓｙｓｔｅｍ）の向上である３ＧＰＰ（３ｒｄ  Ｇｅｎｅｒａｔｉｏｎ  Ｐａｒｔｎｅｒｓｈｉｐ  Ｐｒｏｊｅｃｔ）ＬＴＥ（ｌｏｎｇ  ｔｅｒｍ  ｅｖｏｌｕｔｉｏｎ）は、３ＧＰＰリリース（ｒｅｌｅａｓｅ）８に紹介されている。３ＧＰＰ  ＬＴＥは、ダウンリンクでＯＦＤＭＡ（ｏｒｔｈｏｇｏｎａｌ  ｆｒｅｑｕｅｎｃｙ  ｄｉｖｉｓｉｏｎ  ｍｕｌｔｉｐｌｅ  ａｃｃｅｓｓ）を使用し、アップリンクでＳＣ−ＦＤＭＡ（Ｓｉｎｇｌｅ  Ｃａｒｒｉｅｒ−ｆｒｅｑｕｅｎｃｙ  ｄｉｖｉｓｉｏｎ  ｍｕｌｔｉｐｌｅ  ａｃｃｅｓｓ）を使用する。最大４個のアンテナを有するＭＩＭＯ（ｍｕｌｔｉｐｌｅ  ｉｎｐｕｔ  ｍｕｌｔｉｐｌｅ  ｏｕｔｐｕｔ）を採用する。最近、３ＧＰＰ  ＬＴＥの進化である３ＧＰＰ  ＬＴＥ−Ａ（ＬＴＥ−Ａｄｖａｎｃｅｄ）に対する議論が進行中である。
【０００３】
端末が基地局にデータを送信する時、送信電力（ｔｒａｎｓｍｉｔ  ｐｏｗｅｒ）が適切に調節されることが重要である。もし、送信電力があまりにも低い場合、基地局がデータを正確に受信することができないおそれがある。もし、送信電力があまりにも高い場合、他の端末に干渉を及ぼすことができる。したがって、無線通信システムでは基地局が端末の送信電力を調節する。
【０００４】
基地局が端末の送信電力を調節するためには、端末から必要情報を獲得することが要求される。代表的な例がｐｏｗｅｒ  ｈｅａｄｒｏｏｍである。ｐｏｗｅｒ  ｈｅａｄｒｏｏｍは、端末が現在使用する送信電力より追加的にさらに使用することができる電力を意味する。また、ｐｏｗｅｒ  ｈｅａｄｒｏｏｍは、端末の最大送信電力と現在使用する送信電力との間の差を意味する。
【０００５】
基地局が端末からｐｏｗｅｒ  ｈｅａｄｒｏｏｍを受信するとき、基地局は、ｐｏｗｅｒ  ｈｅａｄｒｏｏｍに基づいて次の端末のアップリンク送信に使われる送信電力を決定する。決定された送信電力は、リソースブロック（Ｒｅｓｏｕｒｃｅ  Ｂｌｏｃｋ）の大きさとＭＣＳ（Ｍｏｄｕｌａｔｉｏｎ  ａｎｄ  Ｃｏｄｉｎｇ  Ｓｃｈｅｍｅ）により示す。
【０００６】
最近、複数のＲＡＴ（ｒａｄｉｏ  ａｃｃｅｓｓ  ｔｅｃｈｎｏｌｏｇｙ）が混在されたｈｅｔｅｒｏｇｅｎｅｏｕｓ  ｓｙｓｔｅｍが登場している。したがって、既存の単一ＲＡＴを考慮した送信電力調節だけでは要求される性能を得ることができない場合がある。
【発明の概要】
【発明が解決しようとする課題】
【０００７】
本発明は、アップリンク送信のためのパワーバックオフが適用されるどうかを示す無線通信システムにおけるパワーヘッドルームを報告する方法及び装置を提供する。
【課題を解決するための手段】
【０００８】
一態様において、無線通信システムにおけるパワーヘッドルーム報告方法は、端末は、設定された送信パワーに基づいてパワーヘッドルームを決定し、前記端末は、パワーヘッドルーム報告を基地局に送信することを含む。前記パワーヘッドルーム報告は、前記パワーヘッドルームを指示するパワーヘッドルームレベルと、前記端末がパワー管理によるパワーバックオフを適用するかどうかを指示するバックオフ指示子と、を含む。
【０００９】
前記パワーヘッドルーム報告は、前記設定された送信パワーを指示する送信パワーフィールドを含む。
【００１０】
前記バックオフ指示子は、パワー管理によってパワーバックオフが適用されないため、前記送信パワーフィールドが異なる値を有する場合、‘１’に設定される。
【００１１】
他の態様において、無線通信システムにおけるパワーヘッドルームを報告する装置は、無線信号を送信及び受信するＲＦ（ｒａｄｉｏ  ｆｒｅｑｕｅｎｃｙ）部、前記ＲＦ部と連結されるプロセッサを含み、前記プロセッサは、設定された送信パワーに基づいてパワーヘッドルームを決定し、パワーヘッドルーム報告を基地局に送信する。前記パワーヘッドルーム報告は、前記パワーヘッドルームを指示するパワーヘッドルームレベルと、前記装置がパワー管理によるパワーバックオフを適用するかどうかを指示するバックオフ指示子と、を含む。
【発明の効果】
【００１２】
基地局は、端末が任意に送信パワーを調整するかどうかを把握することができ、端末は、アップリンク送信に使われることができる可用な送信パワーを正確に知ることができる。向上したリンク適応が端末に提供されることができる。
【図面の簡単な説明】
【００１３】
【図１】本発明が適用される無線通信システムを示す。
【図２】ユーザ平面（ｕｓｅｒ  ｐｌａｎｅ）に対する無線プロトコル構造（ｒａｄｉｏ  ｐｒｏｔｏｃｏｌ  ａｒｃｈｉｔｅｃｔｕｒｅ）を示すブロック図である。
【図３】制御平面（ｃｏｎｔｒｏｌ  ｐｌａｎｅ）に対する無線プロトコル構造を示すブロック図である。
【図４】多重搬送波の一例を示す。
【図５】多重搬送波のための基地局の第２の階層構造を示す。
【図６】多重搬送波のための端末の第２の階層構造を示す。
【図７】３ＧＰＰ  ＬＴＥにおけるＭＡＣ  ＰＤＵの構造を示す。
【図８】本発明の一実施例に係るパワーヘッドルーム報告方法を示すフローチャートである。
【図９】本発明の一実施例に係るＰＨＲのためのＭＡＣ  ＣＥの一例を示す。
【図１０】本発明の実施例が具現される装置を示すブロック図である。
【発明を実施するための形態】
【００１４】
図１は、本発明が適用される無線通信システムを示す。これはＥ−ＵＴＲＡＮ（Ｅｖｏｌｖｅｄ−ＵＭＴＳ  Ｔｅｒｒｅｓｔｒｉａｌ  Ｒａｄｉｏ  Ａｃｃｅｓｓ  Ｎｅｔｗｏｒｋ）、又はＬＴＥ（Ｌｏｎｇ  Ｔｅｒｍ  Ｅｖｏｌｕｔｉｏｎ）／ＬＴＥ−Ａシステムと呼ばれることもある。
【００１５】
Ｅ−ＵＴＲＡＮは、端末（Ｕｓｅｒ  Ｅｑｕｉｐｍｅｎｔ；ＵＥ）１０に制御平面（ｃｏｎｔｒｏｌ  ｐｌａｎｅ）とユーザ平面（ｕｓｅｒ  ｐｌａｎｅ）を提供する基地局（Ｂａｓｅ  Ｓｔａｔｉｏｎ；ＢＳ）２０を含む。端末１０は、固定されてもよいし、移動性を有してもよく、ＭＳ（Ｍｏｂｉｌｅ  ｓｔａｔｉｏｎ）、ＵＴ（Ｕｓｅｒ  Ｔｅｒｍｉｎａｌ）、ＳＳ（Ｓｕｂｓｃｒｉｂｅｒ  Ｓｔａｔｉｏｎ）、ＭＴ（ｍｏｂｉｌｅ  ｔｅｒｍｉｎａｌ）、無線機器（Ｗｉｒｅｌｅｓｓ  Ｄｅｖｉｃｅ）等、他の用語で呼ばれることもある。基地局２０は、端末１０と通信する固定局（ｆｉｘｅｄ  ｓｔａｔｉｏｎ）を意味し、ｅＮＢ（ｅｖｏｌｖｅｄ−ＮｏｄｅＢ）、ＢＴＳ（Ｂａｓｅ  Ｔｒａｎｓｃｅｉｖｅｒ  Ｓｙｓｔｅｍ）、アクセスポイント（Ａｃｃｅｓｓ  Ｐｏｉｎｔ）等、他の用語で呼ばれることもある。
【００１６】
基地局２０は、Ｘ２インターフェースを介して互いに連結されることができる。基地局２０は、Ｓ１インターフェースを介してＥＰＣ（Ｅｖｏｌｖｅｄ  Ｐａｃｋｅｔ  Ｃｏｒｅ）３０、より詳しくは、Ｓ１−ＭＭＥを介してＭＭＥ（Ｍｏｂｉｌｉｔｙ  Ｍａｎａｇｅｍｅｎｔ  Ｅｎｔｉｔｙ）と連結され、Ｓ１−Ｕを介してＳ−ＧＷ（Ｓｅｒｖｉｎｇ  Ｇａｔｅｗａｙ）と連結される。
【００１７】
ＥＰＣ３０は、ＭＭＥ、Ｓ−ＧＷ及びＰ−ＧＷ（Ｐａｃｋｅｔ  Ｄａｔａ  Ｎｅｔｗｏｒｋ−Ｇａｔｅｗａｙ）で構成される。ＭＭＥは、端末の接続情報や端末の能力に関する情報を有しており、このような情報は、端末の移動性管理に主に使われる。Ｓ−ＧＷは、Ｅ−ＵＴＲＡＮを終端点として有するゲートウェイであり、Ｐ−ＧＷは、ＰＤＮを終端点として有するゲートウェイである。
【００１８】
端末とネットワークとの間の無線インターフェースプロトコル（Ｒａｄｉｏ  Ｉｎｔｅｒｆａｃｅ  Ｐｒｏｔｏｃｏｌ）の階層は、通信システムで広く知られた開放型システム間相互接続（Ｏｐｅｎ  Ｓｙｓｔｅｍ  Ｉｎｔｅｒｃｏｎｎｅｃｔｉｏｎ；ＯＳＩ）基準モデルの下位３個階層に基づいてＬ１（第１の階層）、Ｌ２（第２の階層）、Ｌ３（第３の階層）に区分されることができ、このうち、第１の階層に属する物理階層は、物理チャネル（Ｐｈｙｓｉｃａｌ  Ｃｈａｎｎｅｌ）を利用した情報転送サービス（Ｉｎｆｏｒｍａｔｉｏｎ  Ｔｒａｎｓｆｅｒ  Ｓｅｒｖｉｃｅ）を提供し、第３の階層に位置するＲＲＣ（Ｒａｄｉｏ  Ｒｅｓｏｕｒｃｅ  Ｃｏｎｔｒｏｌ）階層は、端末とネットワークとの間に無線リソースを制御する役割を遂行する。このために、ＲＲＣ階層は、端末と基地局との間のＲＲＣメッセージを交換する。
【００１９】
図２は、ユーザ平面（ｕｓｅｒ  ｐｌａｎｅ）に対する無線プロトコル構造（ｒａｄｉｏ  ｐｒｏｔｏｃｏｌ  ａｒｃｈｉｔｅｃｔｕｒｅ）を示すブロック図である。図３は、制御平面（ｃｏｎｔｒｏｌ  ｐｌａｎｅ）に対する無線プロトコル構造を示すブロック図である。データ平面は、ユーザデータ送信のためのプロトコルスタック（ｐｒｏｔｏｃｏｌ  ｓｔａｃｋ）であり、制御平面は、制御信号送信のためのプロトコルスタックである。
【００２０】
図２及び図３を参照すると、物理階層（ＰＨＹ（ｐｈｙｓｉｃａｌ）  ｌａｙｅｒ）は、物理チャネル（ｐｈｙｓｉｃａｌ  ｃｈａｎｎｅｌ）を利用して上位階層に情報転送サービス（ｉｎｆｏｒｍａｔｉｏｎ  ｔｒａｎｓｆｅｒ  ｓｅｒｖｉｃｅ）を提供する。物理階層は、上位階層であるＭＡＣ（Ｍｅｄｉｕｍ  Ａｃｃｅｓｓ  Ｃｏｎｔｒｏｌ）階層とはトランスポートチャネル（ｔｒａｎｓｐｏｒｔ  ｃｈａｎｎｅｌ）を介して連結されている。トランスポートチャネルを介してＭＡＣ階層と物理階層との間にデータが移動する。トランスポートチャネルは、無線インターフェースを介してデータがどのように、どんな特徴に送信されるかによって分類される。
【００２１】
互いに異なる物理階層間、即ち、送信機と受信機の物理階層間は、物理チャネルを介してデータが移動する。前記物理チャネルは、ＯＦＤＭ（Ｏｒｔｈｏｇｏｎａｌ  Ｆｒｅｑｕｅｎｃｙ  Ｄｉｖｉｓｉｏｎ  Ｍｕｌｔｉｐｌｅｘｉｎｇ）方式に変調されることができ、時間と周波数を無線リソースとして活用する。
【００２２】
ＭＡＣ階層の機能は、論理チャネルとトランスポートチャネルとの間のマッピング及び論理チャネルに属するＭＡＣ  ＳＤＵ（ｓｅｒｖｉｃｅ  ｄａｔａ  ｕｎｉｔ）のトランスポートチャネル上に物理チャネルに提供されるトランスポートブロック（ｔｒａｎｓｐｏｒｔ  ｂｌｏｃｋ）への多重化／逆多重化を含む。ＭＡＣ階層は、論理チャネルを介してＲＬＣ（Ｒａｄｉｏ  Ｌｉｎｋ  Ｃｏｎｔｒｏｌ）階層にサービスを提供する。
【００２３】
ＲＬＣ階層の機能は、ＲＬＣ  ＳＤＵの連結（ｃｏｎｃａｔｅｎａｔｉｏｎ）、分割（ｓｅｇｍｅｎｔａｔｉｏｎ）及び再結合（ｒｅａｓｓｅｍｂｌｙ）を含む。無線ベアラ（Ｒａｄｉｏ  Ｂｅａｒｅｒ；ＲＢ）が要求する多様なＱｏＳ（Ｑｕａｌｉｔｙ  ｏｆ  Ｓｅｒｖｉｃｅ）を保障するために、ＲＬＣ階層は、透明モード（Ｔｒａｎｓｐａｒｅｎｔ  Ｍｏｄｅ；ＴＭ）、非確認モード（Ｕｎａｃｋｎｏｗｌｅｄｇｅｄ  Ｍｏｄｅ；ＵＭ）及び確認モード（Ａｃｋｎｏｗｌｅｄｇｅｄ  Ｍｏｄｅ；ＡＭ）の３種類の動作モードを提供する。ＡＭ  ＲＬＣは、ＡＲＱ（ａｕｔｏｍａｔｉｃ  ｒｅｐｅａｔ  ｒｅｑｕｅｓｔ）を介してエラー訂正を提供する。
【００２４】
ユーザ平面でのＰＤＣＰ（Ｐａｃｋｅｔ  Ｄａｔａ  Ｃｏｎｖｅｒｇｅｎｃｅ  Ｐｒｏｔｏｃｏｌ）階層の機能は、ユーザデータの伝達、ヘッダ圧縮（ｈｅａｄｅｒ  ｃｏｍｐｒｅｓｓｉｏｎ）及び暗号化（ｃｉｐｈｅｒｉｎｇ）を含む。ユーザ平面でのＰＤＣＰ（Ｐａｃｋｅｔ  Ｄａｔａ  Ｃｏｎｖｅｒｇｅｎｃｅ  Ｐｒｏｔｏｃｏｌ）階層の機能は、制御平面データの伝達及び暗号化／完全性報号（ｉｎｔｅｇｒｉｔｙ  ｐｒｏｔｅｃｔｉｏｎ）を含む。
【００２５】
ＲＲＣ（Ｒａｄｉｏ  Ｒｅｓｏｕｒｃｅ  Ｃｏｎｔｒｏｌ）階層は、制御平面でのみ定義される。ＲＲＣ階層は、無線ベアラの設定（ｃｏｎｆｉｇｕｒａｔｉｏｎ）、再設定（ｒｅ−ｃｏｎｆｉｇｕｒａｔｉｏｎ）及び解除（ｒｅｌｅａｓｅ）と関連して論理チャネル、トランスポートチャネル及び物理チャネルの制御を担当する。
【００２６】
ＲＢは、端末とネットワークとの間のデータ伝達のために、第１の階層（ＰＨＹ階層）及び第２の階層（ＭＡＣ階層、ＲＬＣ階層、ＰＤＣＰ階層）により提供される論理的経路を意味する。
【００２７】
ＲＢが設定されるということは、特定サービスを提供するために無線プロトコル階層及びチャネルの特性を規定し、それぞれの具体的なパラメータ及び動作方法を設定する過程を意味する。また、ＲＢは、ＳＲＢ（Ｓｉｇｎａｌｉｎｇ  ＲＢ）とＤＲＢ（Ｄａｔａ  ＲＢ）の２種類に分けられることができる。ＳＲＢは、制御平面でＲＲＣメッセージを送信する通路として使われ、ＤＲＢは、ユーザ平面でユーザデータを送信する通路として使われる。
【００２８】
３ＧＰＰ  ＴＳ  ３６．２１１  Ｖ  ８．７．０に開示されているように、３ＧＰＰ  ＬＴＥにおける物理チャネルは、データチャネルであるＰＤＳＣＨ（Ｐｈｙｓｉｃａｌ  Ｄｏｗｎｌｉｎｋ  Ｓｈａｒｅｄ  Ｃｈａｎｎｅｌ）とＰＵＳＣＨ（Ｐｈｙｓｉｃａｌ  Ｕｐｌｉｎｋ  Ｓｈａｒｅｄ  Ｃｈａｎｎｅｌ）、及び制御チャネルであるＰＤＣＣＨ（Ｐｈｙｓｉｃａｌ  Ｄｏｗｎｌｉｎｋ  Ｃｏｎｔｒｏｌ  Ｃｈａｎｎｅｌ）、ＰＣＦＩＣＨ（Ｐｈｙｓｉｃａｌ  Ｃｏｎｔｒｏｌ  Ｆｏｒｍａｔ  Ｉｎｄｉｃａｔｏｒ  Ｃｈａｎｎｅｌ）、ＰＨＩＣＨ（Ｐｈｙｓｉｃａｌ  Ｈｙｂｒｉｄ−ＡＲＱ  Ｉｎｄｉｃａｔｏｒ  Ｃｈａｎｎｅｌ）、ＰＵＣＣＨ（Ｐｈｙｓｉｃａｌ  Ｕｐｌｉｎｋ  Ｃｏｎｔｒｏｌ  Ｃｈａｎｎｅｌ）に分けられる。
【００２９】
以下、多重搬送波（ｍｕｌｔｉｐｌｅ  ｃａｒｒｉｅｒ）システムに対して記述する。
【００３０】
３ＧＰＰ  ＬＴＥシステムは、ダウンリンク帯域幅とアップリンク帯域幅が異なるように設定される場合をサポートするが、これは一つのコンポーネント搬送波（ｃｏｍｐｏｎｅｎｔ  ｃａｒｒｉｅｒ；ＣＣ）を前提にする。ＣＣは、中心周波数と帯域幅で定義される。３ＧＰＰ  ＬＴＥで、アップリンク帯域幅とダウンリンク帯域幅は同じ、又は異なるが、アップリンクとダウンリンクの各々に一つのＣＣのみをサポートする。例えば、３ＧＰＰ  ＬＴＥシステムは、最大２０ＭＨｚをサポートし、アップリンク帯域幅とダウンリンク帯域幅は異なるが、アップリンクとダウンリンクの各々に一つのＣＣのみをサポートする。
【００３１】
スペクトラム集約（ｓｐｅｃｔｒｕｍ  ａｇｇｒｅｇａｔｉｏｎ）（又は、帯域幅集約（ｂａｎｄｗｉｄｔｈ  ａｇｇｒｅｇａｔｉｏｎ）、搬送波集約（ｃａｒｒｉｅｒ  ａｇｇｒｅｇａｔｉｏｎ）とも呼ばれる）は、複数のＣＣをサポートする。スペクトラム集約は、増加される収率をサポートし、広帯域ＲＦ（ｒａｄｉｏ  ｆｒｅｑｕｅｎｃｙ）要素の使用による費用増加を減らし、既存システムとの互換性を高めるためのことである。
【００３２】
図４は、多重搬送波の一例を示す。４個のＣＣ、即ち、ＣＣ＃１、ＣＣ＃２、ＣＣ＃３、ＣＣ＃４、ＣＣ＃５があり、各々は２０ＭＨｚ帯域幅を有する。したがって、２０ＭＨｚ帯域幅を有するＣＣグラニュラリティ（ｇｒａｎｕｌａｒｉｔｙ）で５個のＣＣが割り当てられると、１００ＭＨｚ帯域幅までサポートすることができる。
【００３３】
ＣＣの帯域幅やＣＣの個数は、例示にすぎない。各ＣＣは、互いに異なる帯域幅を有することができる。ダウンリンクＣＣの個数とアップリンクＣＣの個数は、同じであってもよく、異なってもよい。
【００３４】
図５は、多重搬送波のための基地局の第２の階層構造を示す。図６は、多重搬送波のための端末の第２の階層構造を示す。
【００３５】
ＭＡＣ階層は、一つ以上のＣＣを運営することができる。ＭＡＣ階層は、一つ以上のＨＡＲＱエンティティを含むことができる。一つのＨＡＲＱエンティティは、一つのＣＣに対してＨＡＲＱを実行することができる。各ＨＡＲＱエンティティは、トランスポートチャネル上のトランスポートブロックを独立的に処理することができる。したがって、複数のＨＡＲＱエンティティは、複数のＣＣを介して複数のトランスポートブロックを受信又は送信することができる。
【００３６】
一つのＣＣ（又は、ダウンリンクＣＣとアップリンクＣＣのＣＣ対）は、一つのセルに対応されることができる。各ダウンリンクＣＣを利用して同期信号とシステム情報が提供される時、各ダウンリンクＣＣは、一つのサービングセルに対応されることができる。端末が複数のダウンリンクＣＣを利用してサービスの提供を受けると、端末は、複数のサービングセルからサービスの提供を受けるということができる。
【００３７】
基地局は、複数のダウンリンクＣＣを利用して端末に複数のサービングセルを提供することができる。したがって、基地局と端末は、複数のサービングセルを利用して互いに通信することができる。
【００３８】
セルは、１次セル（ｐｒｉｍａｒｙ  ｃｅｌｌ）と２次セル（ｓｅｃｏｎｄａｒｙ  ｃｅｌｌ）に区分されることができる。１次セルは、常に活性化され、１次周波数で動作する。１次セルで、端末は、初期連結確立過程を実行し、又は連結再確立過程を開始することができる。２次セルは、活性化又は非活性化され、２次周波数で動作する。２次セルは、ＲＲＣ連結が確立される時に設定されることができ、追加的な無線リソースを提供するために使われる。１次セルは、ダウンリンクＣＣとアップリンクＣＣの対に設定されることができる。２次セルは、ダウンリンクＣＣとアップリンクＣＣの対又はダウンリンクＣＣのみに設定されることができる。サービングセルは、一つ以上の１次セルと０以上の２次セルを含むことができる。
【００３９】
以下、パワーヘッドルーム報告に対して記述する。
【００４０】
ＵＬ（ｕｐｌｉｎｋ）送信による干渉を緩和するために、端末の送信パワーが調整される。端末の送信パワーがあまりにも弱い場合、基地局がアップリンクデータを受信しにくい。端末の送信パワーがあまりにも強い場合、アップリンク送信が他の端末の送信に強い干渉を及ぼすことができる。
【００４１】
パワーヘッドルーム報告過程は、名目的な端末最大送信パワーとＵＬ−ＳＣＨ送信による推定パワーとの間の差を基地局に知らせるために使われる。ＲＲＣは、パワーヘッドルーム報告をトリガするために２個のタイマ（周期的タイマ（ｐｅｒｉｏｄｉｃ  ｔｉｍｅｒ）と禁止タイマ（ｐｒｏｈｉｂｉｔ  ｔｉｍｅｒ））と測定されたＤＬ経路損失（ｐａｔｈｌｏｓｓ）で変化を設定する経路損失閾値を設定してパワーヘッドルーム報告を制御する。
【００４２】
３ＧＰＰ  ＴＳ  ３６．２１３  Ｖ８．８．０（２００９−０９）“Ｅｖｏｌｖｅｄ  Ｕｎｉｖｅｒｓａｌ  Ｔｅｒｒｅｓｔｒｉａｌ  Ｒａｄｉｏ  Ａｃｃｅｓｓ（Ｅ−ＵＴＲＡ）；Ｐｈｙｓｉｃａｌ  ｌａｙｅｒ  ｐｒｏｃｅｄｕｒｅｓ（Ｒｅｌｅａｓｅ  ８）”の５．１．１節を参照すると、サブフレームｉでパワーヘッドルームは、以下のように定義される。
【００４３】
【数１】
0005465359.tif 000002
ここで、
ＰＣＭＡＸは、設定された最大端末送信パワー、
ＭＰＵＳＣＨ（ｉ）は、サブフレームｉでリソースブロックの数で表現されるＰＵＳＣＨリソース割当の帯域幅、
ＰＬは、端末が計算したＤＬ経路損失推定、
ＰＯ＿ＰＵＳＣＨ（ｊ）、α（ｊ）、△ＴＦ（ｊ）及びｆ（ｉ）は、上位階層シグナリングから得られるパラメータである。
【００４４】
ＰＨＲ（ｐｏｗｅｒ  ｈｅａｄｒｏｏｍ  ｒｅｐｏｒｔ）は、以下のようにトリガされることができる。
−  端末が新たな送信のためのＵＬリソースを有する時、禁止タイマが満了され、ＰＨＲ送信であり、経路損失が経路損失閾値以上に変化される時、
−  周期的タイマが満了される時、
−  ＰＨＲ機能のための設定又は再設定
もし、端末がこのＴＴＩに新たな送信のためのリソースの割当を受ける場合：
−  最後のＭＡＣリセット以後、新たな送信のための最初ＵＬリソースの場合、周期的タイマを開始する；
−  ＰＨＲの最後の送信以後、少なくとも一回のＰＨＲがトリガされ、これが１番目のトリガされたＰＨＲであり、及び；
−  割り当てられたＵＬリソースがＬＣＲ（ｌｏｇｉｃａｌ  ｃｈａｎｎｅｌ  ｐｒｉｏｒｉｔｉｚａｔｉｏｎ）結果、ＰＨＴ  ＭＡＣ制御要素（ｃｏｎｔｒｏｌ  ｅｌｅｍｅｎｔ）を収容することができる場合：
−  物理階層からパワーヘッドルーム値を獲得し；
−  前記物理階層から報告された値に基づいてＰＨＲ  ＭＡＣ制御要素を生成及び送信を指示し；
−  周期的タイマを開始又は再開始し；
−  禁止タイマを開始又は再開始し；
−  全てのトリガされたＰＨＲを取り消す。
【００４５】
パワーヘッドルームは、ＭＡＣ  ＣＥ（ｃｏｎｔｒｏｌ  ｅｌｅｍｅｎｔ）として送信される。
【００４６】
図７は、３ＧＰＰ  ＬＴＥにおけるＭＡＣ  ＰＤＵの構造を示す。
【００４７】
ＭＡＣ  ＰＤＵ（Ｐｒｏｔｏｃｏｌ  Ｄａｔａ  Ｕｎｉｔ）４００は、ＭＡＣヘッダ４１０、０以上のＭＡＣ  ＣＥ４２０、０以上のＭＡＣ  ＳＤＵ（ｓｅｒｖｉｃｅ  ｄａｔａ  ｕｎｉｔ）４６０及びパディングビット４７０を含む。ＭＡＣヘッダ４１０とＭＡＣ  ＳＤＵ４６０は、可変的大きさを有する。ＭＡＣ  ＳＤＵ４６０は、ＭＡＣ階層の上位階層（例えば、ＲＬＣ階層又はＲＲＣ階層）から提供されるデータブロックである。ＭＡＣ  ＣＥ４２０は、ＢＳＲのようなＭＡＣ階層の制御情報の伝送に使われる。
【００４８】
ＭＡＣヘッダ４１０は、一つ以上のサブヘッダ４１１を含む。各サブヘッダは、ＭＡＣ  ＳＤＵ、ＭＡＣ  ＣＥ又はパディングビットに対応する。
【００４９】
サブヘッダ４１１は、４個のヘッダフィールド（Ｒ／Ｒ／Ｅ／ＬＣＩＤ／Ｆ／Ｌ）。ただし、ＭＡＣ  ＰＤＵ４００の最後のサブヘッダと固定された大きさのＭＡＣ  ＣＥに対するサブヘッダは、除外する。ＭＡＣ  ＰＤＵ４００の最後のサブヘッダと固定された大きさのＭＡＣ  ＣＥに対するサブヘッダは、４個のヘッダフィールド（Ｒ／Ｒ／Ｅ／ＬＣＩＤ）を含む。パディングビットに対応するサブヘッダは、４個のヘッダフィールド（Ｒ／Ｒ／Ｅ／ＬＣＩＤ）を含む。
【００５０】
各フィールドの説明は、以下の通りである。
【００５１】
−  Ｒ（１ｂｉｔ）：予約されたフィールド（ｒｅｓｅｒｖｅｄ  ｆｉｅｌｄ）。
【００５２】
−  Ｅ（１ｂｉｔ）：拡張フィールド（ｅｘｔｅｎｄｅｄ  ｆｉｅｌｄ）。次のフィールドにＦ又はＬフィールドがあるかを指示。
【００５３】
−  ＬＣＩＤ（５ｂｉｔ）：論理チャネル（ｌｏｇｉｃａｌ  ｃｈａｎｎｅｌ）ＩＤフィールド。ＭＡＣ  ＳＤＵが属する論理チャネル又はＭＡＣ  ＣＥのタイプを指示。
【００５４】
−  Ｆ（１ｂｉｔ）：フォーマットフィールド（ｆｏｒｍａｔ  ｆｉｅｌｄ）。次のＬフィールドが７ビット又は１５ビットかを指示。
【００５５】
−  Ｌ（７又は１５ｂｉｔ）：長さフィールド（ｌｅｎｇｔｈ  ｆｉｅｌｄ）。ＭＡＣサブヘッダに対応するＭＡＣ  ＣＥ又はＭＡＣ  ＳＤＵの長さを指示。
【００５６】
Ｆ及びＬフィールドは、固定された大きさのＭＡＣ  ＣＥに対応するＭＡＣサブヘッダには含まれない。
【００５７】
以下、提案された送信電力調節及びパワーヘッドルーム（ｐｏｗｅｒ  ｈｅａｄｒｏｏｍ）報告に対して記述する。
【００５８】
人体に及ぼすＲＦ（ｒａｄｉｏ  ｆｒｅｑｕｅｎｃｙ）電磁波の影響を減らすために、地域別に携帯用無線装置の送信電力が特定値を超えないように関係当局が厳格に規制している。
【００５９】
人体により吸収されるＲＦエネルギの量は、一般的にＳＡＲ（Ｓｐｅｃｉｆｉｃ  Ａｂｓｏｒｐｔｉｏｎ  Ｒａｔｅ）という指標を介して測定される。ＳＡＲは、単位時間当たり単位質量に吸収される電力量として定義される。米国でＦＣＣは携帯電話のＳＡＲレベルを１．６Ｗ／ｋｇに規制している。ヨーロッパでＣＥＮＥＬＥＣはＩＥＣ規格によってＳＡＲレベルを制限している。携帯電話のような携帯機器でＳＡＲ制限は１０ｇ当たりほぼ２Ｗ／ｋｇ程度である。磁気共鳴装置でこの基準はさらに複雑に決まる。
【００６０】
無線通信システムにおける端末の送信電力は、基地局の命令により決定される。また、端末が使用することができる最大送信電力も基地局が設定した値により制限される。
【００６１】
しかし、端末が複数のＲＡＴ（ｒａｄｉｏ  ａｃｃｅｓｓ  ｔｅｃｈｎｏｌｏｇｙ）を同時に使用する場合、ＲＡＴの送信電力調節は個別的に適用される。例えば、ＬＴＥのための送信電力とＧＳＭ（登録商標）のための送信電力は、互いに独立的に決定される。
【００６２】
したがって、端末がＬＴＥと共に他のＲＡＴ（例えば、ＵＴＲＡＮ又はＧＳＭ（登録商標））を同時に使用する場合、端末の総送信電力（各ＲＡＴの送信電力を全部合わせた値）がＳＡＲ許容値を超過する場合が発生することができる。
【００６３】
前記問題を解決するために、複数のＲＡＴの同時使用により総送信電力が最大送信電力限界を超過する場合、端末は、送信電力が許容値以下になるように任意に電力を調整するパワーバックオフ（ｐｏｗｅｒ  ｂａｃｋｏｆｆ）を実行し、前記パワーバックオフを基地局に知らせることを提案する。
【００６４】
前記最大送信電力限界は、ＳＡＲ規制によって端末が超過することができない最大送信電力値を意味する。
【００６５】
前記最大電力送信限界は、複数のＲＡＴの同時送信によるｉｎｔｅｒ−ｍｏｄｕｌａｔｉｏｎ  ｐｒｏｄｕｃｔが基準値以上に超過しない最大送信電力値を意味する。
【００６６】
図８は、本発明の一実施例に係るパワーヘッドルーム報告方法を示すフローチャートである。
【００６７】
端末は、各サービングセルに対するパワーヘッドルームを決定する（Ｓ８１０）。ＰＣＭＡＸ，ｃをサービングセルｃのサブフレームｉで設定された端末最大パワーと仮定する。ＰＣＭＡＸ，ｃに基づいてサービングセルｃのサブフレームｉでパワーヘッドルームは、式１のように決定されることができる。
【００６８】
端末は、パワーバックオフが適用されるどうかを決定する（Ｓ８２０）。端末は、総送信電力が最大送信電力限界を超過する場合、パワーバックオフを適用することができる。複数のＲＡＴを利用したデータ送信が発生する場合、例えば、ＬＴＥを使用する端末の送信中に他のＲＡＴを使用した端末の送信が発生した場合、パワーバックオフが適用されることができる。端末がデータ送信のためにＬＴＥを介した送信を実行する中、音声サービスのための他のＲＡＴを介した端末の送信が開始される場合、パワーバックオフが適用されることができる。端末が音声サービスのための他のＲＡＴを介した送信を実行する中、データ送信のためのＬＴＥを介した送信が開始される場合、パワーバックオフが適用されることができる。端末がＲＡＴの送信電力を任意に調整した場合、パワーバックオフが適用されることができる。
【００６９】
端末は、ＰＨＲ（ｐｏｗｅｒ  ｈｅａｄｒｏｏｍ  ｒｅｐｏｒｔ）を基地局を送信する（Ｓ８３０）。ＰＨＲは、パワーヘッドルーム、バックオフ指示子及びＰＣＭＡＸ，ｃに関する情報を含むことができる。バックオフ指示子は、パワーバックオフが適用されるどうかを指示する。ＰＨＲは、ＭＡＣメッセージ又はＲＲＣメッセージとして送信されることができる。
【００７０】
基地局は、端末が送信電力を任意に調整しているということを知ることができ、端末がアップリンク送信に使用することができる可用送信電力に対してさらに正確に知ることができる。したがって、端末に向上したリンク適応（ｌｉｎｋ  ａｄａｐｔａｔｉｏｎ）を提供することができる。
【００７１】
図９は、本発明の一実施例に係るＰＨＲのためのＭＡＣ  ＣＥの一例を示す。ＰＨＲのためのＭＡＣ  ＣＥは、ＰＨＲのためのＭＡＣ  ＣＥに対応するＬＣＩＤを有するＭＡＣ  ＰＤＵサブヘッダにより識別されることができる。
【００７２】
ＭＡＣ  ＣＥは、サービングセル当たりＰＨを含み、次に関連するＰＣＭＡＸ，ｃを含むオクテットを含むことができる。降順にサービングセルのセルインデックスと関連ＰＣＭＡＸ，ｃが含まれることができる。
【００７３】
ＰＨＲ内のフィールドは、以下のように定義されることができる。
【００７４】
−  Ｃｉ：これはセルインデックスｉの２次セルに対するＰＨの存在可否を示す。Ｃｉフィールドが‘１’に設定されると、セルインデックスｉの２次セルに対するＰＨが報告される。Ｃｉフィールドが‘０’に設定されると、セルインデックスｉの２次セルに対するＰＨが報告されない。
【００７５】
−  Ｒ：予約ビット、‘０’に設定される。
【００７６】
−  Ｖ：これは、ＰＨ値が実際送信又は基準フォーマット送信に基づいているかを示す。Ｖ＝０は、関連ＰＣＭＡＸ，ｃの存在を示し、Ｖ＝１は、関連ＰＣＭＡＸ，ｃの不在を示す。
【００７７】
−  ＰＨＬｎ：これは、ｎ番目のサービングセルに対するＰＨＬ（ｐｏｗｅｒ  ｈｅａｄｒｏｏｍ  ｌｅｖｅｌ）を示す。ｎ＝１，．．．，Ｎである。１次セルに対し、ｎ＝１であり、０以上の２次セルに対し、ｎ＝２，．．．，Ｎである。各ＰＨＬは、対応するＰＨの値を示す。
【００７８】
−  Ｐ：これは、端末がパワー管理によるパワーバックオフを適用するかどうかを示す。パワー管理によってパワーバックオフが適用されないため、対応するＰＣＭＡＸ，ｃが異なる値を有する場合、Ｐ＝１である。
【００７９】
−  ＴＰｎ：存在する場合、ＴＰ（ｔｒａｎｓｍｉｔ  ｐｏｗｅｒ）フィールドは、以前ＰＨの計算に使われたＰＣＭＡＸ，ｃを含む。
【００８０】
図１０は、本発明の実施例が具現される装置を示すブロック図である。この装置は、端末の一部である。
【００８１】
装置５０は、プロセッサ（ｐｒｏｃｅｓｓｏｒ）５１、メモリ（ｍｅｍｏｒｙ）５２及びＲＦ部（ＲＦ（ｒａｄｉｏ  ｆｒｅｑｕｅｎｃｙ）  ｕｎｉｔ）５３を含む。メモリ５２は、プロセッサ５１と連結され、プロセッサ５１を駆動するための多様な情報を格納する。ＲＦ部５３は、プロセッサ５１と連結され、無線信号を送信及び／又は受信する。プロセッサ５１は、提案された機能、過程及び／又は方法を具現する。前述した図８の実施例に係る端末の動作は、プロセッサ５１により具現されることができる。
【００８２】
プロセッサは、ＡＳＩＣ（ａｐｐｌｉｃａｔｉｏｎ−ｓｐｅｃｉｆｉｃ  ｉｎｔｅｇｒａｔｅｄ  ｃｉｒｃｕｉｔ）、他のチップセット、論理回路及び／又はデータ処理装置を含むことができる。メモリは、ＲＯＭ（ｒｅａｄ−ｏｎｌｙ  ｍｅｍｏｒｙ）、ＲＡＭ（ｒａｎｄｏｍ  ａｃｃｅｓｓ  ｍｅｍｏｒｙ）、フラッシュメモリ、メモリカード、格納媒体及び／又は他の格納装置を含むことができる。ＲＦ部は、無線信号を処理するためのベースバンド回路を含むことができる。実施例がソフトウェアで具現される時、前述した技法は、前述した機能を遂行するモジュール（過程、機能など）で具現されることができる。モジュールは、メモリに格納され、プロセッサにより実行されることができる。メモリは、プロセッサの内部又は外部にあり、よく知られた多様な手段によりプロセッサと連結されることができる。
【００８３】
前述した例示的なシステムで、方法は一連の段階又はブロックで順序図に基づいて説明されているが、本発明は、段階の順序に限定されるものではなく、ある段階は、前述と異なる段階と異なる順序に又は同時に発生することができる。また、当業者であれば、順序図に示す段階が排他的でなく、他の段階が含まれ、又は順序図の一つ又はそれ以上の段階が本発明の範囲に影響を及ぼさずに削除可能であることを理解することができる。
【図１】
0005465359.tif 000003
【図２】
0005465359.tif 000004
【図３】
0005465359.tif 000005
【図４】
0005465359.tif 000006
【図５】
0005465359.tif 000007
【図６】
0005465359.tif 000008
【図７】
0005465359.tif 000009
【図８】
0005465359.tif 000010
【図９】
0005465359.tif 000011
【図１０】
0005465359.tif 000012